(57)【要約】  Ａｌ含有量が０．２〜２．０質量％で、炭素含有量が亜包晶領域（０．０８〜０．１７質量％）であるＡｌ含有亜包晶鋼の鋳片表面に発生する表面欠陥を防止するモールドパウダーを提供する。  本発明に係るモールドパウダーは、ＣａＯ、ＳｉＯ２、Ｎａ２Ｏ、Ｌｉ２Ｏ、Ｆ（弗素）、Ｃ（炭素）を基本成分とし、モールドパウダーの初期組成において、「ＣａＯ含有量（質量％）／ＳｉＯ２含有量（質量％）」が、溶鋼のＡｌ含有量に対して所定の範囲であり、Ｎａ２Ｏ含有量が８質量％以下、Ｌｉ２Ｏ含有量が２質量％以上７質量％以下、「Ｌｉ２Ｏ含有量（質量％）／Ｎａ２Ｏ含有量（質量％）」が０．６以上、Ｆ含有量が、前記Ｎａ２Ｏ含有量及び前記Ｌｉ２Ｏ含有量に対して所定の範囲であり、Ｃ含有量が２質量％以上１０質量％以下、１３００℃における粘度が０．０５〜０．２０Ｐａ・s、結晶化温度が１１００〜１２５０℃であるモールドパウダー。【特許請求の範囲】
【請求項１】
Ａｌ（アルミニウム）を０．２質量％以上２．０質量％以下含有し、炭素含有量が亜包晶領域（０．０８〜０．１７質量％）であるＡｌ含有亜包晶鋼を連続鋳造する際に使用するモールドパウダーであって、
ＣａＯ、ＳｉＯ２、Ｎａ２Ｏ、Ｌｉ２Ｏ、Ｆ（弗素）、Ｃ（炭素）を基本成分とし、
モールドパウダーの初期組成において、
「ＣａＯ含有量（質量％）／ＳｉＯ２含有量（質量％）」が、「１．０＋０．０５×［溶鋼のＡｌ含有量（質量％）］」以上、「２．０−０．３５×［溶鋼のＡｌ含有量（質量％）］」以下であり、
Ｎａ２Ｏ含有量が８質量％以下、Ｌｉ２Ｏ含有量が２質量％以上７質量％以下で、且つ、「Ｌｉ２Ｏ含有量（質量％）／Ｎａ２Ｏ含有量（質量％）」が０．６以上であり、
Ｆ含有量が、前記Ｎａ２Ｏ含有量及び前記Ｌｉ２Ｏ含有量に対して下記の（１）式及び下記の（２）式を満足する範囲であり、
Ｃ含有量が２質量％以上１０質量％以下であり、
１３００℃における粘度が０．０５〜０．２０Ｐａ・s、結晶化温度が１１００〜１２５０℃である、
Ａｌ含有亜包晶鋼の連続鋳造用モールドパウダー。
１０＜（Ｌｉ２Ｏ含有量（質量％））＋０．５×（Ｎａ２Ｏ含有量（質量％））＋０．８×（Ｆ含有量（質量％））＜２０……（１）
１．００≦（Ｆ含有量（質量％））／［（Ｌｉ２Ｏ含有量（質量％））＋０．５×（Ｎａ２Ｏ含有量（質量％））＋１．４６］≦１．２４……（２）
【請求項２】
モールドパウダーの初期組成において、更に、Ｋ２Ｏを５質量％以下、ＭｎＯを５質量％以下、ＭｇＯを５質量％以下、Ｂ２Ｏ３を５質量％以下、ＢａＯを５質量％以下のうちの１種または２種以上を含有する、請求項１に記載のＡｌ含有亜包晶鋼の連続鋳造用モールドパウダー。
【請求項３】
モールドパウダーの初期組成において、Ａｌ２Ｏ３含有量が３質量％以下である、請求項１または請求項２に記載のＡｌ含有亜包晶鋼の連続鋳造用モールドパウダー。
【請求項４】
モールドパウダーの初期組成における１３００℃での粘度をη０、初期組成における結晶化温度をＴCS０とし、モールドパウダーのＳｉＯ２含有量が前記初期組成よりも１７．６質量％減少し、且つ、Ａｌ２Ｏ３含有量が初期組成よりも２０．０質量％増加したモールドパウダーの組成における１３００℃での粘度をη１、その組成における結晶化温度をＴCS１としたとき、粘度η１と粘度η０との粘度差（Δη＝η１−η０）が０．１５Ｐａ・ｓ以下で、結晶化温度ＴCS１と結晶化温度ＴCS０との結晶化温度差（ΔＴCS＝ＴCS１−ＴCS０）が１００℃以下である、請求項１から請求項３のいずれか１項に記載のＡｌ含有亜包晶鋼の連続鋳造用モールドパウダー。
【請求項５】
Ａｌ（アルミニウム）を０．２質量％以上２．０質量％以下含有し、炭素含有量が亜包晶領域（０．０８〜０．１７質量％）であるＡｌ含有亜包晶鋼を連続鋳造する際に、請求項１から請求項４のいずれか１項に記載のＡｌ含有亜包晶鋼の連続鋳造用モールドパウダーを連続鋳造用鋳型内に供給し、鋳片引き抜き速度を０．７〜２．０ｍ／ｍｉｎとし、モールドパウダー溶融層の厚みを溶鋼鋳造流量（Ｑ；トン／ｍｉｎ）に対して８×Ｑ１／２ｍｍ以上、１８×Ｑ１／２ｍｍ以下、且つ、３５ｍｍ以下とする、Ａｌ含有亜包晶鋼の連続鋳造方法。
【発明の詳細な説明】
【技術分野】
【０００１】
本発明は、Ａｌ（アルミニウム）含有量が０．２〜２．０質量％で、炭素含有量が亜包晶領域であるＡｌ含有亜包晶鋼の連続鋳造鋳片表面に発生する縦割れ、横割れ、コーナー割れ、及び、凹み形状を防止することのできる連続鋳造用モールドパウダーに関する。また、このモールドパウダーを用いたＡｌ含有亜包晶鋼の連続鋳造方法に関する。
【背景技術】
【０００２】
鋼の連続鋳造において、炭素含有量が亜包晶領域の亜包晶鋼を凝固させる場合、δ→γ包晶変態に伴う固相の急激な体積変化に起因して凝固シェルが歪み、凝固シェルの表面には凹凸形状が生じやすくなる。ここで、亜包晶領域の炭素含有量とは、合金組成によって変化するが、一般的に、炭素含有量が０．０８〜０．１７質量％の範囲である。この結果、凝固シェルの凹部は、鋳型との距離が離れて凝固が遅れ、局所的に薄肉化する。この薄肉化した部位に、熱歪や変態歪及び鋳片引き抜き力などが集中し、連続鋳造鋳片に表面割が発生することが一般的に知られている。【０００３】
鋳片の表面割れは、鋳片表面品質を劣化させて良鋳片歩留まりを低下させるだけでなく、連続鋳造時に凝固シェルが破れて溶鋼が漏れ出すブレークアウトの原因にもなるので、操業の安定性や安全性の観点からも問題となる。【０００４】
このような炭素含有量が亜包晶領域である亜包晶鋼の鋳片表面割れを防止するためには、鋳型内の冷却を緩冷却化し、凝固シェルの冷却速度を遅くする方法が有効であることが知られている。その手段の一つとして、モールドパウダーの特性制御が行われてきた。【０００５】
モールドパウダーは、連続鋳造用鋳型内の溶鋼湯面上に添加されると溶鋼からの熱を受けて溶融し、鋳型内溶鋼湯面の全体に広がった後、鋳型と凝固シェルとの境界から鋳型／凝固シェル間に流入して、潤滑剤、酸化防止剤及び断熱剤の役割を担う。【０００６】
鋳型／凝固シェル間に流入した溶融状態のモールドパウダーは、鋳型によって冷却されて結晶化（液相中に結晶が析出する現象）し、その後、固化する。その際、適切な結晶種を析出させる成分設計とすることで、鋳型／凝固シェル間の熱伝達が大いに阻害され、緩冷却効果が向上する。従来、前記結晶種としてカスピダイン（Cuspidine；２ＳｉＯ２・３ＣａＯ・ＣａＦ２）が活用されてきた。【０００７】
例えば、特許文献１には、中炭素鋼（亜包晶鋼）の鋳片表面割れを抑制するために、潤滑性を維持しつつ結晶化温度（液相中に結晶が析出する温度）を１１５０〜１２５０℃まで高温化して、結晶化を促進させたモールドパウダーが提案されている。特許文献１によれば、前記モールドパウダーを使用することで中炭素鋼の鋳片表面割れが防止されるとしている。尚、特許文献１には、モールドパウダーの結晶化温度が１２５０℃よりも高くなると、モールドパウダーの潤滑性が低下し、これにより、モールドパウダーの鋳型／凝固シェル間への均一な流入が阻害され、凝固シェルが鋳型に焼き付いてブレークアウトが発生したことが記載されている。【０００８】
しかし、特許文献１のような従来の亜包晶鋼用の緩冷却型のモールドパウダー及びこのモールドパウダーを用いた連続鋳造方法は、Ａｌ含有量が０．２質量％以上である亜包晶鋼の連続鋳造には、適切ではない。これは、以下の理由による。【０００９】
溶鋼とモールドパウダーとの接触界面においては、Ａｌ含有量が０．２質量％未満の亜包晶鋼でも、溶鋼中のＡｌがモールドパウダー中のＳｉＯ２を還元するので、モールドパウダーの組成は、ＳｉＯ２量が減少してＡｌ２Ｏ３量が富化する。但し、この反応（酸化−還元反応）によるモールドパウダーの成分変動量は小さい。しかし、Ａｌ含有量が０．２質量％以上の亜包晶鋼では、前記酸化−還元反応によるモールドパウダーの成分変動量が大きくなるために、モールドパウダーの特性が経時的に大きく変化する。【００１０】
具体的には、ＳｉＯ２の減少及びＡｌ２Ｏ３の富化により、ゲーレナイト（Gehlenite；２ＣａＯ・Ａｌ２Ｏ３・ＳｉＯ２）などの不均一生成しやすい高融点結晶の析出が促進され、カスピダインの均一析出は阻害される。更に、溶融状態のモールドパウダーの粘度が不均一に上昇し、モールドパウダーの鋳型／凝固シェル間への均一流入が阻害される。また、結晶化温度や粘度の著しい上昇は、モールドパウダーの焼結及びスラグベア（溶融したモールドパウダーが固化して鋳型壁面に付着する現象）の発生を促進させる。【００１１】
つまり、亜包晶鋼中のＡｌ含有量が０．２質量％以上の場合には、モールドパウダーの特性が大きく変化し、鋳造安定性を著しく低下させる。これは、モールドパウダーの特性が大きく変化することで、スラグベアの粗大化やモールドパウダーの鋳型／凝固シェル間への流入不足に起因して拘束性ブレークアウトを招いたり、鋳型内での冷却条件のバラツキに起因して鋳片表面での縦割れを誘発したりするからである。【００１２】
また、スラグベアの生成及び不均一な粘度変化は、局所的なモールドパウダー流入量のバラツキを発生させ、亜包晶鋼の鋳片表面に深いオシレーションマークや凹凸（所謂、「ディプレッション」）を形成させる。鋳片表面の深いオシレーションマークや凹凸は、鋳片の著しい横割れやコーナー割れの原因になるので、良鋳片の歩留りが極めて悪化する。【００１３】
そこで、高濃度のＡｌを含有する亜包晶鋼に適応したモールドパウダーの開発もなされている。例えば、特許文献２には、Ａｌを０．１〜２．０質量％含有する亜包晶鋼の縦割れを抑制するモールドパウダーとして、ＣａＯ、ＳｉＯ２、アルカリ金属の酸化物、弗素化合物の成分比率を制御した、カスピダインを主結晶とする緩冷却型のモールドパウダーが提案されている。【００１４】
しかし、特許文献２には、上述した鋳片表面の横割れやコーナー割れも同時に抑制するための技術思想は記載されていない。
【先行技術文献】
【特許文献】
【００１５】
【特許文献１】特開平８−１９７２１４号公報
【特許文献２】特開２０１５−１８６８１３号公報
【発明の概要】
【発明が解決しようとする課題】
【００１６】
本発明は上記事情に鑑みてなされたもので、その目的とするところは、Ａｌ含有量が０．２〜２．０質量％で、炭素含有量が亜包晶領域（０．０８〜０．１７質量％）であるＡｌ含有亜包晶鋼の連続鋳造鋳片表面に発生する縦割れ、横割れ、コーナー割れ、及び、凹み形状を防止することのできるモールドパウダーを提供することである。また、このモールドパウダーを用いたＡｌ含有亜包晶鋼の連続鋳造方法を提供することである。
【課題を解決するための手段】
【００１７】
本発明者らは、上記課題を解決すべく、鋭意、研究し検討した。その結果、Ａｌ含有量が０．２〜２．０質量％で、炭素含有量が亜包晶領域（０．０８〜０．１７質量％）であるＡｌ含有亜包晶鋼の連続鋳造用モールドパウダーの成分設計に関して以下の指針を見出し、本発明を完成した。【００１８】
（１）＜鋳型内の均一緩冷却による鋳片表面の縦割れ防止に関して＞
溶鋼とモールドパウダーとの酸化−還元反応による、モールドパウダー中のＳｉＯ２の減少及びＡｌ２Ｏ３の富化に起因して、モールドパウダーの塩基度（塩基度＝（質量％ＣａＯ）／（質量％ＳｉＯ２））が、連続鋳造の初期から後期まで、連続的に変化する。この塩基度の変化に対応して、安定的な結晶生成を促すためには、モールドパウダーにおける成分変動の初期の成分範囲を、最大限、カスピダイン（Cuspidine；２ＳｉＯ２・３ＣａＯ・ＣａＦ２）の初晶領域と合致させることが必要である。また、成分変動した後期のモールドパウダーの成分範囲も、カスピダインまたはカスピダインとマイエナイト（Mayenite；１２ＣａＯ・７Ａｌ２Ｏ３）との複合析出になるように設計することが必要である。【００１９】
モールドパウダーの組成をこのように設計することで、結晶化速度が安定して速く、緩冷却特性の大きい結晶生成条件が維持できることを知見した。これには、鋼のＡｌ含有量に合わせた適切な初期組成の塩基度（（質量％ＣａＯ）／（質量％ＳｉＯ２））の設定が肝要である。また、その際、モールドパウダーの初期組成のＡｌ２Ｏ３含有量を極力低減しておくことは、上記の目的のためには、より好ましい。【００２０】
（２）＜モールドパウダー特性の変動及びスラグベアの生成に起因した鋳片表面の凹み、横割れ、コーナー割れの防止に関して＞
鋳片表面の凹みを防止するためには、溶融したモールドパウダーを低粘度に維持し、鋳型／凝固シェル間の全周に、均一に供給し続ける必要がある。本発明者らは、適切にＦ（弗素）、Ｎａ２Ｏ、Ｌｉ２Ｏを含有させ、モールドパウダーの初期組成の粘度を低下するとともに、Ａｌ２Ｏ３の富化に伴う高融点結晶の生成を抑制し、結晶化温度の上昇を抑えることで、モールドパウダーの粘度の変化が抑制できることを知見した。【００２１】
但し、Ｎａ２Ｏを主体に含有すると、Ａｌ２Ｏ３の富化に伴って、ネフェリン（Nepheline；ＮａＡｌＳｉＯ４）を核として粗大なカスピダイン結晶が不均一に生成しやすくなり、モールドパウダーの焼結塊やスラグベアの形成が促進されることがわかった。モールドパウダーの焼結塊は、鋳型／凝固シェル間に巻き込まれることで鋳片表面の凹みを増大させ、鋳片表面の割れ発生を助長する。スラグベアは、凝固シェル先端の変形を促進したり、モールドパウダーの鋳型／凝固シェル間への流入を局所的に阻害したりして、凝固シェルの不均一凝固を招き、鋳片表面の割れ発生を助長する。【００２２】
更に、Ｆも過剰に含有させれば、モールドパウダーの過剰溶融によってモールドパウダーの溶融層の厚みが厚くなりすぎるとともに、結晶化温度が高くなり、これによって、スラグベアの形成を促進させる傾向がある。【００２３】
そこで、Ｆ及びＮａ２Ｏの一部を適切にＬｉ２Ｏに置換することで、モールドパウダーの溶融状態と低粘度とを安定的に制御できることを見出した。【００２４】
本発明は上記知見に基づきなされたものであり、その要旨は以下のとおりである。
［１］Ａｌ（アルミニウム）を０．２質量％以上２．０質量％以下含有し、炭素含有量が亜包晶領域（０．０８〜０．１７質量％）であるＡｌ含有亜包晶鋼を連続鋳造する際に使用するモールドパウダーであって、
ＣａＯ、ＳｉＯ２、Ｎａ２Ｏ、Ｌｉ２Ｏ、Ｆ（弗素）、Ｃ（炭素）を基本成分とし、
モールドパウダーの初期組成において、
「ＣａＯ含有量（質量％）／ＳｉＯ２含有量（質量％）」が、「１．０＋０．０５×［溶鋼のＡｌ含有量（質量％）］」以上、「２．０−０．３５×［溶鋼のＡｌ含有量（質量％）］」以下であり、
Ｎａ２Ｏ含有量が８質量％以下、Ｌｉ２Ｏ含有量が２質量％以上７質量％以下で、且つ、「Ｌｉ２Ｏ含有量（質量％）／Ｎａ２Ｏ含有量（質量％）」が０．６以上であり、
Ｆ含有量が、前記Ｎａ２Ｏ含有量及び前記Ｌｉ２Ｏ含有量に対して下記の（１）式及び下記の（２）式を満足する範囲であり、
Ｃ含有量が２質量％以上１０質量％以下であり、
１３００℃における粘度が０．０５〜０．２０Ｐａ・s、結晶化温度が１１００〜１２５０℃である、
Ａｌ含有亜包晶鋼の連続鋳造用モールドパウダー。
１０＜（Ｌｉ２Ｏ含有量（質量％））＋０．５×（Ｎａ２Ｏ含有量（質量％））＋０．８×（Ｆ含有量（質量％））＜２０……（１）
１．００≦（Ｆ含有量（質量％））／［（Ｌｉ２Ｏ含有量（質量％））＋０．５×（Ｎａ２Ｏ含有量（質量％））＋１．４６］≦１．２４……（２）
［２］モールドパウダーの初期組成において、更に、Ｋ２Ｏを５質量％以下、ＭｎＯを５質量％以下、ＭｇＯを５質量％以下、Ｂ２Ｏ３を５質量％以下、ＢａＯを５質量％以下のうちの１種または２種以上を含有する、上記［１］に記載のＡｌ含有亜包晶鋼の連続鋳造用モールドパウダー。
［３］モールドパウダーの初期組成において、Ａｌ２Ｏ３含有量が３質量％以下である、上記［１］または上記［２］に記載のＡｌ含有亜包晶鋼の連続鋳造用モールドパウダー。
［４］モールドパウダーの初期組成における１３００℃での粘度をη０、初期組成における結晶化温度をＴCS０とし、モールドパウダーのＳｉＯ２含有量が前記初期組成よりも１７．６質量％減少し、且つ、Ａｌ２Ｏ３含有量が初期組成よりも２０．０質量％増加したモールドパウダーの組成における１３００℃での粘度をη１、その組成における結晶化温度をＴCS１としたとき、粘度η１と粘度η０との粘度差（Δη＝η１−η０）が０．１５Ｐａ・ｓ以下で、結晶化温度ＴCS１と結晶化温度ＴCS０との結晶化温度差（ΔＴCS＝ＴCS１−ＴCS０）が１００℃以下である、上記［１］から上記［３］のいずれかに記載のＡｌ含有亜包晶鋼の連続鋳造用モールドパウダー。
［５］Ａｌ（アルミニウム）を０．２質量％以上２．０質量％以下含有し、炭素含有量が亜包晶領域（０．０８〜０．１７質量％）であるＡｌ含有亜包晶鋼を連続鋳造する際に、上記［１］から上記［４］のいずれかに記載のＡｌ含有亜包晶鋼の連続鋳造用モールドパウダーを連続鋳造用鋳型内に供給し、鋳片引き抜き速度を０．７〜２．０ｍ／ｍｉｎとし、モールドパウダー溶融層の厚みを溶鋼鋳造流量（Ｑ；トン／ｍｉｎ）に対して８×Ｑ１／２ｍｍ以上、１８×Ｑ１／２ｍｍ以下、且つ、３５ｍｍ以下とする、Ａｌ含有亜包晶鋼の連続鋳造方法。
【発明の効果】
【００２５】
本発明によれば、Ａｌ含有亜包晶鋼の連続鋳造鋳片表面の縦割れ、横割れ、コーナー割れ及び凹みの発生を防止することができる。これにより、Ａｌ含有量が０．２〜２．０質量％で、炭素含有量が亜包晶領域であるＡｌ含有亜包晶鋼の表面品質に優れた連続鋳造鋳片を安定して製造可能となる。
【発明を実施するための形態】
【００２６】
以下、本発明を具体的に説明する。
【００２７】
鋼の連続鋳造では、連続鋳造用鋳型内の溶鋼湯面にモールドパウダーを添加している。鋳型内に添加されたモールドパウダーは、鋳型内の溶鋼の熱によって加熱され、鋳型内溶鋼と接触する側の温度が高く、反対側の大気と接触する側が低くなる温度勾配を形成する。つまり、鋳型内溶鋼湯面側のモールドパウダーは溶融し、鋳型内溶鋼湯面上に溶融したモールドパウダー層（「モールドパウダー溶融層」と称す）を形成する。このモールドパウダー溶融層の上には、溶融層と固体層とが共存するモールドパウダー層（「モールドパウダー半溶融層」と称す）が形成される。このモールドパウダー半溶融層の上には、含有するＣ（炭素）の一部が燃焼するものの、その他の成分は初期組成と同等であるモールドパウダー層（「モールドパウダー固体層」と称す）が形成される。ここで、「モールドパウダーの初期組成」とは、鋳型内に添加する前のモールドパウダーの組成である。
【００２８】
溶融したモールドパウダーは、鋳型と凝固シェルとの間隙に流入して消費されるので、消費されたモールドパウダーを補うように、モールドパウダー半溶融層から溶融したモールドパウダーがモールドパウダー溶融層に供給される。更に、消費されたモールドパウダーを補うように、モールドパウダー固体層の上には、新たなモールドパウダーが添加される。このようにして、モールドパウダーは、凝固シェルと鋳型との潤滑剤、鋳型内溶鋼の酸化防止剤及び保温剤として機能する。
【００２９】
Ａｌを０．２質量％以上２．０質量％以下含有し、炭素含有量が亜包晶領域（０．０８〜０．１７質量％）であるＡｌ含有亜包晶鋼の連続鋳造時には、モールドパウダー溶融層と溶鋼中のＡｌとの反応によってモールドパウダー溶融層の組成が変化する。モールドパウダー溶融層の組成が変化することで、ゲーレナイト（Gehlenite；２ＣａＯ・Ａｌ２Ｏ３・ＳｉＯ２）などの高融点結晶が生成される。
【００３０】
本発明は、前記Ａｌ含有亜包晶鋼の連続鋳造時に、上記のように、モールドパウダー溶融層の組成が変化しても、ゲーレナイトなどの高融点結晶の生成を抑制し、カスピダイン（Cuspidine；２ＳｉＯ２・３ＣａＯ・ＣａＦ２）を安定的で均一に析出させることを目的とする技術である。カスピダインの安定的で均一な析出により、モールドパウダーによる緩冷却効果を持続させることが可能となる。
【００３１】
本発明に係るモールドパウダーは、ＣａＯ（酸化カルシウム）、ＳｉＯ２（酸化珪素）、Ｎａ２Ｏ（酸化ナトリウム）、Ｌｉ２Ｏ（酸化リチウム）、Ｆ（弗素）、Ｃ（炭素）を基本成分として、その成分制御範囲を以下のように制御するものである。
【００３２】
先ず、モールドパウダーの初期組成における「ＣａＯ含有量（質量％）／ＳｉＯ２含有量（質量％）」を、「１．０＋０．０５×［溶鋼のＡｌ含有量（質量％）］」以上、「２．０−０．３５×［溶鋼のＡｌ含有量（質量％）］」以下とする。ここで、［溶鋼のＡｌ含有量（質量％）］は、連続鋳造される溶鋼のＡｌ含有量である。したがって、例えば、連続鋳造される溶鋼のＡｌ含有量が１．０質量％の場合には、モールドパウダーの「ＣａＯ含有量（質量％）／ＳｉＯ２含有量（質量％）」は、１．０５〜１．６５の範囲内であることが必要である。
【００３３】
上述したように、モールドパウダー溶融層中のＳｉＯ２が溶鋼中のＡｌに還元されて減少することから、モールドパウダー溶融層の塩基度（（質量％ＣａＯ）／（質量％ＳｉＯ２））は、連続鋳造の初期から後期にかけて上昇していく。この変化は溶鋼のＡｌ含有量が多いほど助長される。
【００３４】
したがって、連続鋳造される溶鋼のＡｌ含有量に応じて、モールドパウダーの初期組成における「ＣａＯ含有量（質量％）／ＳｉＯ２含有量（質量％）」、つまり、塩基度（（質量％ＣａＯ）／（質量％ＳｉＯ２））を、カスピダインの析出領域の下限の塩基度を確保するように調整する。また、モールドパウダー溶融層の塩基度（（質量％ＣａＯ）／（質量％ＳｉＯ２））が上昇しても、モールドパウダー溶融層の組成が常にカスピダイン析出領域内に重なるように設計する。同時に、この領域では、モールドパウダー溶融層の組成がＡｌ２Ｏ３（酸化アルミニウム）の富化方向へ変化しても、カスピダイン及びマイエナイト（Mayenite；１２ＣａＯ・７Ａｌ２Ｏ３）の析出を最大限活用することができる。
【００３５】
モールドパウダーの初期組成における「ＣａＯ含有量（質量％）／ＳｉＯ２含有量（質量％）」が「２．０−０．３５×［溶鋼のＡｌ含有量（質量％）］」を超えてしまうと、連続鋳造の後期のモールドパウダー溶融層の塩基度（（質量％ＣａＯ）／（質量％ＳｉＯ２））が上昇しすぎて、結晶化温度が著しく上昇し、その結果、連続鋳造操業が不安定化する。これを防止するために、連続鋳造される溶鋼のＡｌ含有量が多いほど、モールドパウダーの初期組成における「ＣａＯ含有量（質量％）／ＳｉＯ２含有量（質量％）」を低く調整する。ここで、「結晶化温度」とは、白金ルツボ中で、１３００℃で完全溶融したモールドパウダーを５℃／ｍｉｎの冷却速度で等速冷却した際に、結晶生成に伴う発熱が測定される温度である。
【００３６】
モールドパウダーの初期組成における「ＣａＯ含有量（質量％）／ＳｉＯ２含有量（質量％）」が１．０未満では、結晶化温度が１１００℃以下に低下し、結晶析出が抑制される。これにより、凝固シェルは強冷却されて、凝固シェルの表面に縦割れが生じる。更に、モールドパウダー溶融層のＡｌ２Ｏ３が富化すると、ゲーレナイトの生成領域内に達し、モールドパウダー溶融層の粘度が急激に上昇するので、鋳片表面のディプレッションや横割れが増加する。
【００３７】
また、モールドパウダーの初期組成における「ＣａＯ含有量（質量％）／ＳｉＯ２含有量（質量％）」が１．０以上「１．０＋０．０５×［溶鋼のＡｌ含有量（質量％）］」未満の領域でも、カスピダイン結晶の析出する成分範囲が一部存在する。しかし、この領域では、溶鋼中に懸濁したＡｌ２Ｏ３をモールドパウダー溶融層が吸収してモールドパウダー溶融層のＡｌ２Ｏ３含有量が増加すると、ゲーレナイトの析出領域へとモールドパウダー溶融層の組成が変化してしまうので、連続鋳造操業の安定性が低下するリスクがある。
【００３８】
上記のリスクは溶鋼中のＡｌ含有量が多いほど増大するので、Ａｌ含有量の多い亜包晶鋼ほど、モールドパウダーの初期組成における「ＣａＯ含有量（質量％）／ＳｉＯ２含有量（質量％）」の下限を高めに調整し、常に安定してカスピダインを析出する成分範囲に維持する。したがって、本発明では、モールドパウダーの初期組成における「ＣａＯ含有量（質量％）／ＳｉＯ２含有量（質量％）」を「１．０＋０．０５×［溶鋼のＡｌ含有量（質量％）］」以上とする。
【００３９】
本発明では、モールドパウダー溶融層の粘度を低位に維持し、且つ、モールドパウダーの溶融の促進及び鋳型／凝固シェル間への均一流入を促進するために、Ｎａ２Ｏ、Ｌｉ２Ｏ及びＦの配合量を適切に制御する。具体的には以下の通りである。
【００４０】
即ち、モールドパウダーの初期組成におけるＮａ２Ｏ含有量は８質量％以下とする。ＮａはＣａよりもＦとの親和性が高いために、過剰なＮａ２Ｏの添加はカスピダインの生成を阻害する。更に、Ｎａ２Ｏを過剰に含有させるとネフェリン（Nepheline；ＮａＡｌＳｉＯ４）が析出しやすく、ネフェリンを核として粗大なカスピダインが不均一に生成しやすくなる。その結果、大きなスラグベアを形成し、モールドパウダーの鋳型／凝固シェル間への不均一流入を誘発する。この影響は、Ｎａ２Ｏ含有量が８質量％超で顕著であるので、Ｎａ２Ｏ含有量の上限を８質量％とする。微細なカスピダイン結晶の均一析出を促進させて、鋳片の表面割れを抑止する観点からは、Ｎａ２Ｏ含有量は５質量％以下とするのが好ましい。より好ましくは４質量％以下である。一方、Ｎａ２Ｏ含有量の下限は、規定しないが、後述するＬｉＯやＦとの適切な配合比によって成分範囲が決定される。
【００４１】
また、上記のように、Ｎａ２Ｏ含有量は低いことが望ましいことから、モールドパウダーの粘度調整剤及び溶融促進剤として、Ｎａ２Ｏに替えてＬｉ２Ｏを用いることができる。その際、モールドパウダーの初期組成において、「Ｌｉ２Ｏ含有量（質量％）／Ｎａ２Ｏ含有量（質量％）」を０．６以上とすることにより、安定的に微細で均一なカスピダイン結晶の生成が実現できる。但し、Ｌｉ２Ｏ含有量が２質量％未満では、この効果が小さいことから、Ｌｉ２Ｏ含有量は２質量％以上とする。一方、Ｌｉ２Ｏ含有量が７質量％を超えると、カスピダインまでも析出が阻害されてしまうこと、及び、モールドパウダーの製造コストが著しく増加してしまうことから、Ｌｉ２Ｏ含有量の上限は７質量％とする。
【００４２】
「Ｌｉ２Ｏ含有量（質量％）／Ｎａ２Ｏ含有量（質量％）」が２．０を超えると、カスピダイン析出の阻害、及び、モールドパウダーの製造コストが著しく増加する弊害が現れる場合がある。したがって、「Ｌｉ２Ｏ含有量（質量％）／Ｎａ２Ｏ含有量（質量％）」は２．０以下とすることが好ましい。
【００４３】
Ｆ（弗素）は、カスピダインの生成に不可欠であり、且つ、Ａｌ２Ｏ３含有量が上昇した場合の粘度上昇を抑制する効果も大きいことから、一定量以上含有させる。但し、Ｎａ２Ｏ及びＬｉ２Ｏに対してＦを過剰に添加すると、モールドパウダーの溶融が過剰に促進されて、モールドパウダー溶融層の厚みが増大しすぎる。そのため、結果的に鋳型内溶鋼湯面からモールドパウダー溶融層の上面までの距離が拡大し、モールドパウダー溶融層が低温化して、モールドパウダー溶融層の高粘度化やスラグベアの粗大化を促す。これにより、鋳片表面に深いオシレーションマークやディプレッションを誘発する。
【００４４】
そこで、モールドパウダーの初期組成において、Ｎａ２Ｏ含有量、Ｌｉ２Ｏ含有量及びＦ含有量を下記の（１）式を満足する範囲に調整する。
【００４５】
１０＜（Ｌｉ２Ｏ含有量（質量％））＋０．５×（Ｎａ２Ｏ含有量（質量％））＋０．８×（Ｆ含有量（質量％））＜２０……（１）
ここで、「（Ｌｉ２Ｏ含有量（質量％））＋０．５×（Ｎａ２Ｏ含有量（質量％））＋０．８×（Ｆ含有量（質量％）」が１０以下では、モールドパウダーの初期組成の粘度が高めであり、また、モールドパウダー溶融層のＡｌ２Ｏ３含有量が増加した際に粘度上昇が大きくなる。これらによって、モールドパウダーの鋳型／凝固シェル間への均一流入性が劣化する。したがって、モールドパウダーの低粘度と均一流入性の維持との観点から、本発明では、「（Ｌｉ２Ｏ含有量（質量％））＋０．５×（Ｎａ２Ｏ含有量（質量％））＋０．８×（Ｆ含有量（質量％）」を１０超えとする。
【００４６】
一方、「（Ｌｉ２Ｏ含有量（質量％））＋０．５×（Ｎａ２Ｏ含有量（質量％））＋０．８×（Ｆ含有量（質量％）」が２０以上になると、モールドパウダーの滓化性が良すぎて、モールドパウダーの焼結やスラグベアが増加する。これらを防止するために、本発明では、「（Ｌｉ２Ｏ含有量（質量％））＋０．５×（Ｎａ２Ｏ含有量（質量％））＋０．８×（Ｆ含有量（質量％）」を２０未満とする。
【００４７】
また、ＦがＮａ２ＯやＬｉ２Ｏよりも相対的に過剰に含有されると、カスピダイン結晶は得やすいものの、スラグベアの生成や結晶化温度の上昇に伴う粘度上昇などにより、鋳片表面品質が悪化する。そこで、モールドパウダーの初期組成において、下記の（２）式を満足する範囲に、Ｎａ２Ｏ含有量、Ｌｉ２Ｏ含有量及びＦ含有量を調整する。
【００４８】
１．００≦（Ｆ含有量（質量％））／［（Ｌｉ２Ｏ含有量（質量％））＋０．５×（Ｎａ２Ｏ含有量（質量％））＋１．４６］≦１．２４……（２）
ここで、「（Ｆ含有量（質量％））／［（Ｌｉ２Ｏ含有量（質量％））＋０．５×（Ｎａ２Ｏ含有量（質量％））＋１．４６］」が１．２４以下を満たすように、Ｎａ２Ｏ含有量、Ｌｉ２Ｏ含有量、Ｆ含有量を調整することで、適度の粘度と結晶化温度とに調整することができる。一方、「（Ｆ含有量（質量％））／［（Ｌｉ２Ｏ含有量（質量％））＋０．５×（Ｎａ２Ｏ含有量（質量％））＋１．４６］」が１．００未満では、ＦがＮａ２ＯやＬｉ２Ｏなどと結合し、カスピダインの生成に必要なＦが低減して、結晶生成が低減してしまう。したがって、「（Ｆ含有量（質量％））／［（Ｌｉ２Ｏ含有量（質量％））＋０．５×（Ｎａ２Ｏ含有量（質量％））＋１．４６］」は１．００以上とする。
【００４９】
Ｃ（炭素）は、モールドパウダーの溶融速度調整剤として機能する成分であり、モールドパウダーに必須の成分である。Ｃ含有量が２質量％未満では、モールドパウダーの溶融速度が速すぎ、これにより、未溶融のモールドパウダーを巻き込んで固化した凝集物を形成し、スラグベアの粗大化や異物噛み込みを発生し、連続鋳造操業の不安定化を招く。したがって、モールドパウダーの初期組成において、Ｃ含有量の下限を２質量％とする。
【００５０】
一方、炭素含有量が１０質量％を超えると、モールドパウダーの溶け広がりが抑制され過ぎて、鋳型／凝固シェル間の潤滑不足によるブレークアウトの危険が増加する。したがって、モールドパウダーの初期組成において、Ｃ含有量は１０質量％以下とする。
【００５１】
更に、モールドパウダーの初期組成において、上記組成に、Ｋ２Ｏを５質量％以下、ＭｎＯを５質量％以下、ＭｇＯを５質量％以下、Ｂ２Ｏ３を５質量％以下、ＢａＯを５質量％以下のうちの１種または２種以上を含有させることも可能である。これらの成分は、Ｎａ２ＯやＬｉ２Ｏに替えてフラックスとして使用してもよい。但し、先述のように、過剰な溶剤の添加はカスピダインの析出も阻害して結晶化温度が低下したり、モールドパウダーの過剰溶融によるスラグベアの粗大化を招いたりする。したがって、これらの含有量の合計は５質量％以下とすることが好ましく、３質量％以下とすることがより好ましい。また、Ｂ２Ｏ３の添加により、モールドパウダー溶融層から溶鋼へのＢ（ボロン）の移動が起こり、溶鋼のＢ濃度が上昇して凝固シェルの硬化や脆化が起こり、鋳片表面品質の劣化を招くので、Ｂ２Ｏ３の添加量は２質量％未満とすることがより好ましい。
【００５２】
モールドパウダーの初期組成において、Ａｌ２Ｏ３の含有量は低い方が好ましい。モールドパウダーの初期組成において、Ａｌ２Ｏ３の含有量が少ないほど、カスピダインの析出を利用可能な成分域にモールドパウダー溶融層を維持することができ、モールドパウダー溶融層の特性変化を低位安定化できる。そのため、モールドパウダーの初期組成において、Ａｌ２Ｏ３の含有量は３質量％以下とすることが好ましく、２質量％以下とすることがより好ましい。
【００５３】
上記の組成範囲に調整することで、本発明に係るＡｌ含有亜包晶鋼の連続鋳造用モールドパウダーは、以下の特徴的な特性に制御される。特性の範囲及びその目的を以下に説明する。
【００５４】
モールドパウダーの初期特性は、Ａｌ２Ｏ３の富化による特性変化も加味して、以下の範囲に制御することが好ましい。
【００５５】
モールドパウダーの結晶化温度は１１００℃以上１２５０℃以下とする。結晶化温度が１１００℃未満では緩冷却効果が不十分であり、鋳片表面に縦割れが発生する。一方、結晶化温度が１２５０℃を超えると、結晶化温度が高くなりすぎ、モールドパウダーの流動性が阻害されてブレークアウトの危険がある。
【００５６】
モールドパウダーの１３００℃における粘度は、０．０５Ｐａ・ｓ以上０．２０Ｐａ・ｓ以下とする。１３００℃における粘度が０．０５Ｐａ・ｓ未満では、モールドパウダー溶融層が鋳型内溶鋼湯面の乱流により溶鋼中に巻き込まれて凝固シェルの内層に付着し、鉄鋼製品において、モールドパウダー起因のヘゲ欠陥を発生するおそれがある。一方、１３００℃における粘度が０．２０Ｐａ・ｓを超えると、Ａｌ２Ｏ３の富化に伴ってモールドパウダー溶融層の粘度が上昇した場合に最大粘度が高くなりすぎ、モールドパウダーの鋳型／凝固シェル間への流入不足や不均一流入を招き、更にはスラグベアの形成を招く。これらにより、ブレークアウトや鋳片表面割れが発生する。
【００５７】
また、Ａｌ２Ｏ３の富化に伴う特性変化が大きいと、モールドパウダー溶融層の特性のバラツキが増大して、連続鋳造操業が不安定化することから、結晶化温度の上昇幅及び粘度の上昇幅も低く抑えることが好ましい。本発明に係るモールドパウダーでは、Ｎａ２Ｏ含有量、Ｌｉ２Ｏ含有量及びＦ含有量を上記の範囲に調整することで、モールドパウダーの初期組成に対してＳｉＯ２の減少及びＡｌ２Ｏ３の富化が生じても、これらの変化に伴う結晶化温度及び粘度の変化が抑制される。これが、本発明に係るモールドパウダーの特徴である。
【００５８】
モールドパウダーの初期組成における１３００℃での粘度をη０、及び、初期組成における結晶化温度をＴCS０とする。また、モールドパウダーの初期組成のＳｉＯ２がＡｌで還元されたと想定し、モールドパウダー溶融層のＳｉＯ２の含有量が初期組成よりも１７．６質量％減少し、Ａｌ２Ｏ３含有量が初期組成よりも２０．０質量％増加した組成における１３００℃での粘度をη１、その組成における結晶化温度をＴCS１とする。
【００５９】
本発明に係る上記組成のモールドパウダーにおいては、粘度η１と粘度η０との粘度差（Δη＝η１−η０）が０．１５Ｐａ・ｓ以下で、且つ、結晶化温度ＴCS１と結晶化温度ＴCS０との結晶化温度差（ΔＴCS＝ＴCS１−ＴCS０）が１００℃以下に制御される。
【００６０】
モールドパウダー溶融層の粘度及び結晶化温度の変化が上記よりも大きいと、Ａｌ２Ｏ３の富化により、急速にモールドパウダーの結晶化挙動及び鋳型／凝固シェル間への流入挙動が変化し、鋳型内での場所によるバラツキも増大する。その結果、鋳片の表面欠陥を防止できないばかりかブレークアウトの危険も高まる。
【００６１】
ここで、モールドパウダーの粘度は、モールドパウダーを白金ルツボに装入し、環状炉中で１３００℃まで昇温して完全溶融させた後に、白金球の引き上げ法によって測定した。その際、モールドパウダーの温度は白金ルツボの外表層に設置した熱電対にて測定し、事前にルツボ内の温度との温度差を確認して校正した。また、溶融させたモールドパウダーを収容した白金ルツボを、炉体温度で５℃／ｍｉｎの冷却速度で冷却しながら溶融したモールドパウダーの温度を測定し、溶融したモールドパウダーの冷却速度が炉体温度の冷却速度より低下した温度を結晶生成に伴う発熱開始温度と捉え、この温度を結晶化温度とした。
【００６２】
上記の組成及び特性を有する本発明に係るモールドパウダーを用いた、本発明に係る連続鋳造方法における鋳造条件を以下に説明する。
【００６３】
適用する鋼種は、Ａｌを０．２質量％以上２．０質量％以下含有し、炭素含有量が亜包晶領域（０．０８〜０．１７質量％）であるＡｌ含有亜包晶鋼を対象とする。Ａｌ含有量が２．０質量％を超える亜包晶鋼の場合、Ａｌ２Ｏ３の富化による特性変化を所定の範囲内に維持することが非常に困難となる。一方、Ａｌ含有量が０．２質量％未満の亜包晶鋼では、従来の有亜包晶鋼の連続鋳造用モールドパウダーで対処することができる。勿論、Ａｌ含有量が０．２質量％未満の亜包晶鋼の連続鋳造に、本発明に係るモールドパウダーを使用してもよい。
【００６４】
鋳片引き抜き速度は０．７ｍ／ｍｉｎ以上２．０ｍ／ｍｉｎ以下が好適である。鋳片引き抜き速度が０．７ｍ／ｍｉｎ未満では、鋳型内溶鋼湯面上に添加されたモールドパウダーへの熱供給が不足し、モールドパウダーが十分に溶融しないために、モールドパウダー溶融層の流動性が極めて悪く、鋳片表面品質が劣化する。一方、鋳片引き抜き速度が２．０ｍ／ｍｉｎを超えると、モールドパウダーの鋳型／凝固シェル間への流入量が不足してブレークアウトの危険がある。
【００６５】
上記と関連して、モールドパウダーを適切に溶融させるための指標として、モールドパウダー溶融層の厚みを溶鋼鋳造流量（Ｑ；トン／ｍｉｎ）に対して８×Ｑ１／２ｍｍ以上、１８×Ｑ１／２ｍｍ以下、且つ、３５ｍｍ以下とすることが好ましい。
【００６６】
ここで、溶鋼鋳造流量Ｑは、「Ｑ＝７８００（ｋｇ／ｍ３）×鋳片幅（ｍ）×鋳片厚み（ｍ）×鋳片引き抜き速度（ｍ／ｍｉｎ）／１０３」で計算される。この溶鋼鋳造流量Ｑは、鋳型内溶鋼湯面上のモールドパウダーへの熱供給に関係しており、モールドパウダーを安定的に溶融し、溶融したモールドパウダーを鋳型／凝固シェル間に均一流入させるための重要な指標となる。
【００６７】
モールドパウダー溶融層の厚みが８×Ｑ１／２ｍｍ未満では、モールドパウダーの溶融速度が消費量に比べて不足し、凝固シェルと鋳型との潤滑不足よるブレークアウトの危険が高まる。また、鋳型内溶鋼湯面の変動によって局所的なモールドパウダーの鋳型／凝固シェル間への流入量が変動しやすくなり、鋳片表面に縦割れを招く。
【００６８】
一方、モールドパウダー溶融層の厚みが１８×Ｑ１／２ｍｍ超え、または、３５ｍｍ超えでは、モールドパウダー溶融層の上面（特に鋳型近傍）と鋳型内溶鋼湯面との距離が長くなり、モールドパウダー溶融層が低温化するため、高粘度化やスラグベアの形成を招き、これによって、鋳片表面割れの発生やブレークアウトを誘発する。
【００６９】
以上説明したように、本発明に係るＡｌ含有亜包晶鋼の連続鋳造用モールドパウダー及び連続鋳造方法によれば、Ａｌ含有亜包晶鋼の連続鋳造鋳片表面の縦割れ、横割れ、コーナー割れ及び凹みの発生を防止することができる。これにより、Ａｌ含有量が０．２〜２．０質量％で、炭素含有量が亜包晶領域であるＡｌ含有亜包晶鋼の表面品質に優れた連続鋳造鋳片を安定して製造可能となる。
【実施例】
【００７０】
本発明の効果を確認するために、モールドパウダーの結晶化挙動の確認及びＡｌ含有亜包晶鋼の連続鋳造試験を実施した。【００７１】
試験に供した種々のモ−ルドパウダーの組成を表１に示す。表１には、モールドパウダーの初期組成における１３００℃での粘度及び結晶化温度を初期特性として示す。また、併せて、モールドパウダー中のＳｉＯ２が溶鋼中のＡｌによって還元され、モールドパウダーのＳｉＯ２含有量が初期組成よりも１７．６質量％減少し、且つ、Ａｌ２Ｏ３含有量が初期組成よりも２０．０質量％増加したと想定した模擬組成における１３００℃での粘度及び結晶化温度を示す。【００７２】
【表１】
2020246498.tif 000002
【００７３】
表１から明らかなように、本発明に係るモールドパウダーの組成範囲を満たす水準Ａ１〜Ａ１３は、Ａｌ２Ｏ３の富化に伴う粘度及び結晶化温度の変化が抑制されていることがわかる。これに対して、本発明の範囲外の水準Ｂ１〜Ｂ１６では、粘度または結晶化温度の著しい増加が見られ特性の安定性が低いことがわかる。【００７４】
以下、表１に示すモールドパウダーを用いて連続鋳造試験を行った結果を説明する。連続鋳造試験では、垂直曲げ型連続鋳造機を用いて、表２に示す鋼成分組成を有する３種類の約２７０トンの溶鋼（鋼１〜３）を、表３に示す鋳造条件で連続鋳造した。連続鋳造試験において、鋳片の厚みは２５０ｍｍ、鋳片の幅は１２５０ｍｍとし、鋳型振動条件は、振幅３．５ｍｍ（＝ストローク７．０ｍｍ）の正弦波形を採用し、鋳片引き抜き速度は、１．３ｍ／ｍｉｎを基本とし、０．６〜２．２ｍ／ｍｉｎに変化させた。【００７５】
鋳型内溶鋼湯面に、表１に示す各組成の粉末状モールドパウダーを、モールドパウダー消費量が０．４〜０．８ｋｇ／ｍ２となる範囲で定期的に且つ均一に供給した。鋳造開始から約４０ｍ長さの鋳片を連続鋳造した定常鋳造中に、モールドパウダー溶融層の厚みを３回測定し、その平均値をモールドパウダー溶融層の厚みの代表値とした。【００７６】
連続鋳造用鋳型から引き抜かれた鋳片を、二次冷却帯で直ちに冷却し、上部曲げ帯及び下部矯正帯では、二次元伝熱計算から推定される鋳片のコーナー温度が、各鋼成分組成での脆化温度域を回避する冷却条件となるように冷却した。そして、各連続鋳造試験において、所定長さ（約９ｍ）の定常鋳造域鋳片（スラブ鋳片）を１２本製造した。尚、本発明の範囲は、上記製造条件に限定されるものではない。【００７７】
【表２】
2020246498.tif 000003
【００７８】
【表３】
2020246498.tif 000004
【００７９】
このようにして製造した１２本の鋳片のうちの１本を無作為に抜き取って調査対象とし、鋳片長辺面及び鋳片短辺面の全面を浸透探傷検査（カラーチェック、水性染料）にて検品し、各鋳片の縦割れ及び横割れ・コーナー割れの発生個数を調査した。尚、縦割れ及び横割れ・コーナー割れは、割れ長さが鋳片の縦方向または横方向に１０ｍｍ以上のものを計数した。【００８０】
また、縦割れ及び横割れ・コーナー割れが発生した鋳片でも、鋳片長辺面及び鋳片短辺面であればグラインダー研削量が２ｍｍ以下、鋳片コーナーであればグラインダー研削量が１０ｍｍ以下の研削量で除去可能な浅い表面割れは合格とした。鋳片１２本中の合格鋳片本数の百分率を、合格率として整理した。【００８１】
それらの結果を、鋳片表面品質として表３に併せて示す。【００８２】
本発明の範囲内のモールドパウダー組成及び鋳造条件を用いて鋳造した場合（水準１〜７、水準１０〜２０）には、縦割れ及び横割れ・コーナー割れの発生は極めて少なく、鋳片の合格率は８０％以上を確保できた。一方、本発明の範囲内のモールドパウダー組成であっても、鋳造条件が本発明の範囲を外れた場合（水準８、９）には、モールドパウダーの鋳型／凝固シェル間への均一流入が阻害されて深いディプレッションが増加し、その影響で、特に横割れの発生が増加した。【００８３】
また、モールドパウダーの組成が本発明の範囲を外れた場合（水準２１〜４０）には、緩冷却効果の低いモールドパウダーであり、鋳片表面に縦割れが頻発した。また、Ｎａ２Ｏ、Ｆ、Ｌｉ２Ｏの成分バランスの悪いモールドパウダーでは、深いディプレッションの形成による横割れの発生が増加した。
【国際調査報告】
2020246498.tif 000005
2020246498.tif 000006
2020246498.tif 000007
2020246498.tif 000008